(57)【要約】【課題】電気信号や参照クロックが異常な状態から回復した場合に迅速に光信号を復帰させること。【解決手段】光送受信モジュール１は、参照クロックＣＬ１を基に逓倍クロックＣＬ３を生成し、参照クロックＣＬ１が正常でない場合にアラーム信号ＡＬＭ１を出力する位相同期回路３ａ，３ｂと、電気入力信号と逓倍クロックＣＬ３とが入力され、電気入力信号からデータを読み込んだ後に、そのクロックを基にデータを読み出し、クロックの同期が外れた場合にはアラーム信号ＡＬＭ２を出力するフレーム処理部３ｄと、読み出されたデータを基に光信号を出力する光送信部５と、アラーム信号ＡＬＭ１，ＡＬＭ２を受けた場合に光出力を遮断した後に、アラーム信号ＡＬＭ１が回復した際には位相同期回路３ａとフレーム処理部３ｄの順にリセットするように制御する制御部７とを備える。【選択図】図２
2014143599.tif 000002
【特許請求の範囲】
【請求項１】
外部から参照クロック信号が入力されて、前記参照クロックを基に第１のクロック信号を生成して出力し、該参照クロックが正常でない場合に第１のアラーム信号を出力する第１の位相同期回路と、
外部からの電気入力信号と前記第１の位相同期回路からの前記第１のクロック信号とが入力され、前記電気入力信号に同期した第２のクロック信号を生成し、前記電気入力信号から前記第２のクロック信号を基にデータを読み込んだ後に、前記第１のクロック信号を基に前記データを読み出し、前記第２のクロック信号と前記第１のクロック信号の同期が外れた場合には、第２のアラーム信号を出力する第２の位相同期回路と、
前記第２の位相同期回路から読み出された前記データを基に光信号を出力する光送信回路と、
前記第１のアラーム信号或いは前記第２のアラーム信号を受けた場合に、前記光信号を遮断するように制御した後に、前記第１のアラーム信号或いは前記第２のアラーム信号が回復した際には前記第１の位相同期回路をリセットした後に前記第２の位相同期回路をリセットするように制御する制御回路と、
を備えることを特徴とする光送信器。
【請求項２】
前記光送信回路は、光信号を生成するレーザダイオード素子、及び前記光信号を変調する光変調器を有し、
前記制御回路は、前記第１のアラーム信号或いは前記第２のアラーム信号を受けた場合に、前記レーザダイオード素子に供給する駆動電流を遮断するように制御する、
ことを特徴とする請求項１記載の光送信器。
【請求項３】
前記制御回路は、前記駆動電流を遮断するように制御した後に、前記レーザダイオード素子或いは前記光変調器に与える駆動信号を過発光を防止するための予め定められた設定値に設定した後に、前記駆動電流をオンするように制御する、
ことを特徴とする請求項２記載の光送信器。
【発明の詳細な説明】
【技術分野】
【０００１】
本発明は、電気信号を基に光信号を生成する光送信器に関する。
【背景技術】
【０００２】
サーバ間通信の伝送容量のボトルネックを解消するために、光伝送網の規格としてIEEE 802.3ba、IEEE 802.3bgが定められている。これらの規格に対応して、光通信モジュールに対しては40Gbpsあるいは100Gbpsへの光伝送容量の拡張が求められている。通信速度が40Gbpsの高品質な光信号を生成するために、光送信モジュールには、光変調器としてＥＡ（ElectronicAbsorption：電界吸収型）光変調器が用いられ、その駆動には光変調器駆動回路が用いられる。さらに、光送信モジュールには制御回路が設けられ、制御回路がホストからの設定情報を受けてモジュール内部の各部の制御を行うと共に、各部の監視を行いホストへアラーム等の各種情報の通知を行う。
【０００３】
また、光送信モジュールでは、各部の監視状態に応じて光出力を適切に制御することが行われている。例えば、下記特許文献１に記載の波長分割多重伝送装置では、送信装置のある波長にかかる入力信号が断または同期外れの状態となっても光出力レベルを適正な状態に保つ制御が行われている。また、下記特許文献２に記載の光送信器では、自動パワー制御における異常状態の発生原因に応じて光出力を制御することが行われている。
【先行技術文献】
【特許文献】
【０００４】
【特許文献１】特開２００２−４４０３５号公報
【特許文献２】特開２００７−３２５１８９号公報
【発明の概要】
【発明が解決しようとする課題】
【０００５】
従来の光送信モジュールにおいては、外部から与えられる電気信号や参照クロック等が予め設定された周波数と異なっていたり十分な振幅を有さない場合は、光伝送網側に異常なランダムノイズが送信されてしまうのを防止するために光出力を遮断する制御が実行され、その後、電気信号や参照クロックが回復した際には光出力を再開する制御が実行されるのが一般的である。このような制御が実行される場合には、電気信号や参照クロックの回復時に過渡的に誤ったデータを含む光信号を送出してしまう場合があった。
【０００６】
そこで、本発明の目的は、上記の事項を鑑みてなされたものであり、電気信号や参照クロックが異常な状態から回復した場合に迅速に光信号を復帰させることが可能な光送信器を提供することである。
【課題を解決するための手段】
【０００７】
上記課題を解決するため、本発明に係る光送信器は、外部から参照クロック信号が入力されて、参照クロックを基に第１のクロック信号を生成して出力し、該参照クロックが正常でない場合に第１のアラーム信号を出力する第１の位相同期回路と、外部からの電気入力信号と第１の位相同期回路からの第１のクロック信号とが入力され、電気入力信号に同期した第２のクロック信号を生成し、電気入力信号から第２のクロック信号を基にデータを読み込んだ後に、第１のクロック信号を基にデータを読み出し、第２のクロック信号と第１のクロック信号の同期が外れた場合には、第２のアラーム信号を出力する第２の位相同期回路と、第２の位相同期回路から読み出されたデータを基に光信号を出力する光送信回路と、第１のアラーム信号或いは第２のアラーム信号を受けた場合に、光信号を遮断するように制御した後に、第１のアラーム信号或いは第２のアラーム信号が回復した際には第１の位相同期回路をリセットした後に第２の位相同期回路をリセットするように制御する制御回路と、を備える。
【０００８】
本発明の光送信器によれば、第１の位相同期回路によって外部からの参照クロックを基に第１のクロック信号が生成され、第２の位相同期回路によって、外部からの電気入力信号に同期した第２のクロックが生成され、電気入力信号から第２のクロック信号を基にデータが読み込まれた後に第１のクロック信号を基にそのデータが読み出され、光送信回路によってそのデータを基に光信号が出力される。そのとき、参照クロックが正常でない場合、或いは、第１のクロック信号と第２のクロック信号の同期が外れた場合は、制御回路によって、アラーム信号が検知されて光信号が遮断された後に、アラーム信号が回復した際に第１の位相同期回路及び第２の位相同期回路の順にリセットされる。これにより、電気信号からのデータの読み込み処理及びそのデータの読み出し処理が正常に初期化され、光信号を正常な状態で迅速に復帰させることができる。
【０００９】
光送信回路は、光信号を生成するレーザダイオード素子、及び光信号を変調する光変調器を有し、制御回路は、第１のアラーム信号或いは第２のアラーム信号を受けた場合に、レーザダイオード素子に供給する駆動電流を遮断するように制御する、ことが好適である。かかる構成を採れば、光信号が過発光等の異常な状態で送出されることを防止することができる。
【００１０】
また、制御回路は、駆動電流を遮断するように制御した後に、レーザダイオード素子或いは光変調器に与える駆動信号を過発光を防止するための予め定められた設定値に設定した後に、駆動電流をオンするように制御する、ことも好適である。この場合、アラーム信号が回復した際に光信号を迅速に復帰させることができる。
【発明の効果】
【００１１】
本発明によれば、電気信号や参照クロックが異常な状態から回復した場合に迅速に光信号を復帰させることができる。
【図面の簡単な説明】
【００１２】
【図１】実施形態に係る光送信器の概略構成を示すブロック図である。
【図２】図１の光送信器の制御部の接続構成を詳細に示すブロック図である。
【図３】図１の制御部７による制御動作の手順を示すフローチャートである。
【発明を実施するための形態】
【００１３】
以下、図面を参照して、本発明に係る好適な実施形態について詳細に説明する。なお、図面の説明において、可能な場合には、同一要素には同一符号を付し、重複する説明を省略する。本実施形態に係る光送受信モジュール１は、外部装置であるホスト装置から入力される電気信号を受けて、この電気信号に応じて光信号を出力する光送信器を含む装置である。
【００１４】
光送受信モジュール１の構成を、図１及び図２を参照して説明する。これらの図に示すように、光送受信モジュール１は、外部のホスト装置から参照クロック信号とそれに同期した例えば伝送速度が10Gbpsの４対の電気信号とが入力され、それらの電気信号を例えば伝送速度が40Gbpsの電気信号に多重化して出力する多重化部３と、多重化部３から受けた電気信号を基に光信号を生成し光伝送網に向けて出力する光送信部（光送信回路）５と、制御部（制御回路）７とを含んで構成されている。
【００１５】
多重化部３は、集積回路（IC: Integrated Circuit）によって構成され、位相同期回路（第１の位相同期回路）３ａ，３ｂ、フレーム処理部（第２の位相同期回路）３ｄ、及び多重化処理部３ｅを主に備える。詳細には、位相同期回路３ａと、位相同期回路（周波数逓倍回路）３ｂ、フレーム処理部３ｄ、及び多重化処理部３ｅとは、別の集積回路上に構成されている。位相同期回路３ａは、外部から所定周波数の参照クロックＣＬ１を受けて、参照クロックＣＬ１のジッタ成分を除去して参照クロックＣＬ２を出力する。この位相同期回路３ａは、参照クロックＣＬ１のジッタ成分を十分に除去できるように、ＰＬＬ（位相ロックループ）の帯域幅が1KHz以下に狭帯域化された位相同期回路によって構成されている。さらに、位相同期回路３ａは、外部からの参照クロックＣＬ１の周波数が所定の周波数から外れて異常な場合には、自走発振を行って所定周波数の参照クロックＣＬ２を出力する。位相同期回路（周波数逓倍回路）３ｂは、位相同期回路３ａから出力された参照クロックＣＬ２を受けて、参照クロックＣＬ２から逓倍クロック（第１のクロック信号）ＣＬ３を生成して出力する位相同期回路である。この位相同期回路３ｂは、位相同期回路３ａに比較してＰＬＬの帯域幅が数ＭＨｚ程度以上に広帯域化されている。さらに、この位相同期回路３ｂは、入力された参照クロックＣＬ２の周波数が所定の周波数範囲から外れていた場合、或いは、参照クロックＣＬ２の振幅が規定値よりも小さい場合、参照クロックＣＬ２の異常を検出し、アラーム信号（第１のアラーム信号）ＡＬＭ１を出力する。
【００１６】
多重化部３の位相同期回路３ｂは、例えば、ホスト装置からの電気信号の伝送速度に対応する逓倍クロックと、多重化処理部３ｅによって多重化される電気信号の伝送速度に対応する逓倍クロックとを生成して、それぞれ、フレーム処理部３ｄ及び多重化処理部３ｅに出力する。
【００１７】
フレーム処理部３ｄは、クロックデータリカバリ回路とＦＩＦＯ（Fast-In-Fast-Out）メモリとによって構成され、ホスト装置からの４対の電気信号Ｄ１，Ｄ２，Ｄ３，Ｄ４と、位相同期回路３ｂからの逓倍クロック（第１のクロック信号）とが入力され、電気信号Ｄ１，Ｄ２，Ｄ３，Ｄ４の全てに同期したクロック信号（第２のクロック信号）を、電気信号Ｄ１，Ｄ２，Ｄ３，Ｄ４の少なくとも１つ以上或いは全てから抽出することによって生成する。さらに、フレーム処理部３ｄは、それぞれの電気信号Ｄ１，Ｄ２，Ｄ３，Ｄ４から、抽出したクロックに同期させてデータを読み取って内部のＦＩＦＯメモリに読み込んだ後に、それぞれの電気信号Ｄ１，Ｄ２，Ｄ３，Ｄ４に対応するデータを、位相同期回路３ｂによって生成された逓倍クロックに同期してＦＩＦＯメモリから読み出す。このようなフレーム処理部３ｄのフレーム処理により、４対の電気信号に含まれる時系列データが同期して順次多重化処理部３ｅに出力されることにより、４対の電気信号が整形されて出力される。また、フレーム処理部３ｄは、電気信号Ｄ１，Ｄ２，Ｄ３，Ｄ４の周波数或いは振幅の異常な状態を検出した場合、及び電気信号Ｄ１，Ｄ２，Ｄ３，Ｄ４から抽出したクロック（第２のクロック信号）と位相同期回路（周波数逓倍回路）３ｂからの逓倍クロック（第１のクロック信号）との同期が外れた場合には、アラーム信号（第２のアラーム信号）ＡＬＭ２を生成して出力することも行う。例えば、フレーム処理部３ｄは、ＦＩＦＯメモリのポインタを監視することにより、データの書き込み位置及び読み取り位置をモニターし、両方のポインタの位置が大きくずれた場合にクロックの同期外れを検出する。
【００１８】
多重化処理部３ｅは、フレーム処理部３ｄから４対の時系列データの出力を受けて、位相同期回路３ｂによって生成された逓倍クロックを利用して多重化処理を実行する。この多重化処理により、４対の時系列データが多重化された電気信号Ｄ０が生成されて光送信部５に出力される。
【００１９】
光送信部５は、光信号を生成するレーザダイオード素子５ａと、光信号を変調するＥＡ光変調器５ｂと、ＥＡ光変調器５ｂを駆動する光変調器駆動回路５ｃとを含んで構成されている。光変調器駆動回路５ｃは、多重化部３から出力される電気信号Ｄ０を基にＥＡ光変調器５ｂに印加する駆動電圧を増減させることにより、レーザダイオード素子５ａから外部に送出される光信号を、電気信号Ｄ０に含まれるデータを基に変調させる。このような構成の光送信部５においては、レーザダイオード素子５ａには、レーザダイオード素子５ａにバイアス電流を供給する電流源９ａがスイッチ９ｂを介して接続され、ＥＡ光変調器５ｂには、ＥＡ光変調器５ｂにバイアス電圧を印加するためのバイアス電圧源９ｃが接続されている。
【００２０】
制御部７は、マイクロプロセッサ、ＤＡコンバータ、ＡＤコンバータ等によって構成されるアナログ回路を内蔵したデジタル制御回路であり、ホスト装置からの各種設定情報を受けて光送受信モジュール１の各部の制御を行うとともに、各部の状態及び外部からの信号の状態の監視を行い、その監視結果に応じてホスト装置に対してアラーム信号等の各種情報の通知を行う。具体的には、制御部７は、多重化部３と、電流源９ａ、スイッチ９ｂ、バイアス電圧源９ｃ、及び光変調器駆動回路５ｃとに接続されている。制御部７は、電流源９ａを制御することによりレーザダイオード素子５ａの発光強度を設定するとともに、スイッチ９ｂを制御してレーザダイオード素子５ａを流れる電流のオン／オフを制御することにより、光信号のオン／オフを切り替える。また、制御部７は、バイアス電圧源９ｃを制御することにより、ＥＡ光変調器５ｂに印加するバイアス電圧を調整する。さらに、制御部７は、光変調器駆動回路５ｃを制御することにより、光信号のクロスポイントを調整する。
【００２１】
このとき、制御部７は、マイクロプロセッサがデジタル値で各種制御のための制御値を生成し、ＤＡコンバータで制御値をアナログ値に変換して出力する。このため、制御部７での制御処理ではマイクロプロセッサの周期処理の時間分の遅延が発生するので、光信号のオン／オフの制御では高速で光信号をシャットダウンするためのスイッチ９ｂを設けている。制御部７は、多重化部３からのアラーム信号ＡＬＭ１或いはアラーム信号ＡＬＭ２を受けて、参照クロックＣＬ２又は電気信号Ｄ１，Ｄ２，Ｄ３，Ｄ４の異常の発生、或いは、電気信号Ｄ１，Ｄ２，Ｄ３，Ｄ４から抽出したクロックと位相同期回路３ｂからの逓倍クロックとの同期外れを割り込み処理で認識した場合に、スイッチ９ｂを制御することで光信号をオフ（遮断）する。また、制御部７は、多重化部３からのアラーム信号ＡＬＭ１或いはアラーム信号ＡＬＭ２が回復した際には、位相同期回路３ａを含む回路部をリセットした後に、位相同期回路３ｂ、フレーム処理部３ｄ、及び多重化処理部３ｅを含む集積回路部をリセットするように制御する。
【００２２】
次に、図３を参照しながら、光送受信モジュール１の制御部７による光信号のオン／オフ制御の動作手順について説明する。図３は、制御部７による制御動作の手順を示すフローチャートである。
【００２３】
制御部７による監視処理及び制御処理は、マイクロプロセッサによる周期処理によって実行される。まず、この周期処理が起動されると、多重化部３からのアラーム信号ＡＬＭ１，ＡＬＭ２が割り込み処理で受け付けられ、参照クロックＣＬ２又は電気信号Ｄ１，Ｄ２，Ｄ３，Ｄ４の異常の発生（以下、単に「信号異常発生」という。）の有無、或いは、電気信号Ｄ１，Ｄ２，Ｄ３，Ｄ４から抽出したクロックと位相同期回路（周波数逓倍回路）３ｂからのクロックとの同期外れの発生（以下、単に「同期外れ発生」という。）の有無が確認される（ステップＳ０１、異常確認処理）。その結果、信号異常発生或いは同期外れ発生が確認されなかった場合は（ステップＳ０２；ＮＯ）、次の周期で再度異常確認処理が繰り返される。一方、信号異常発生或いは同期外れ発生が確認された場合には（ステップＳ０２；ＹＥＳ）、制御部７によってスイッチ９ｂが制御されることにより、光信号がシャットダウン（遮断）される（ステップＳ０３）。
【００２４】
その後、再度、周期処理で異常確認処理が繰り返されて、Ｎ回（Ｎは、規定の整数）連続して信号異常発生及び同期外れ発生が無い状態（以下、単に「正常な状態」という。）が確認されたか否かが判定される（ステップＳ０４）。判定の結果、Ｎ回連続して正常な状態が確認された場合は（ステップＳ０４；ＹＥＳ）、制御部７内に記憶されたカウンタがリセットされた後（ステップＳ０５）、レーザダイオード素子５ａの駆動電流、光変調器駆動回路５ｃの駆動電圧におけるクロスポイント、ＥＡ光変調器５ｂのバイアス電圧が通常状態の値（通常設定値）に設定されて、光出力が通常状態に戻される（ステップＳ０６）。そして、処理がステップＳ０１に戻されて異常確認処理が繰り返される。このように、数回連続して異常からの回復が判定された場合に通常状態に戻されることで、参照クロックの高調波等で位相同期回路３ｂが誤ってアラーム信号を復帰させてしまった場合でも過発光を防止することができる。
【００２５】
その一方で、信号異常発生或いは同期外れ発生が継続しているか、又は、正常な状態に回復したが未だＮ回連続して回復したことが確認されていない場合は（ステップＳ０４；ＮＯ）、制御部７により、低光出力状態に設定される。すなわち、制御部７により、レーザダイオード素子５ａに与える駆動電流、光変調器駆動回路５ｃによってＥＡ光変調器５ｂに与えられる駆動電圧におけるクロスポイント、及びＥＡ光変調器５ｂに与えられるバイアス電圧のいずれか又は全てが、予め設定した過発光が発生しない値（低光出力設定値）に設定されるように制御される（ステップＳ０７）。その後、ステップＳ０３でシャットダウンされたレーザダイオード素子５ａのバイアス電流が、スイッチ９ｂの制御によりオンされる（ステップＳ０８）。
【００２６】
次に、制御部７により、多重化部３からのアラーム信号ＡＬＭ１が回復したか否かが判定される（ステップＳ０９）。アラーム信号ＡＬＭ１が回復したと判定された場合には（ステップＳ０９；ＹＥＳ）、制御部７により、正しい周波数の参照クロックＣＬ２が出力されるように、位相同期回路３ａがリセットされる（ステップＳ１０）。一方、アラーム信号ＡＬＭ１が回復したと判定されなかった場合には（ステップＳ０９；ＮＯ）、位相同期回路３ａはリセットされない。さらに、制御部７の内部のカウンタが所定値に達しているか否かが判定される（ステップＳ１１）。カウンタが所定値に達していない場合には（ステップＳ１１；ＮＯ）、カウンタに１が加算されて（インクリメントされて）、処理がステップＳ０４に戻される（ステップＳ１２）。その一方で、カウンタが所定値に達した場合には（ステップＳ１１；ＹＥＳ）、信号異常発生が長時間継続していると判断され、位相同期回路３ｂ、フレーム処理部３ｄ、及び多重化処理部３ｅを含む多重化部３の初期化処理が実行される。具体的には、制御部７のカウンタがリセットされた後（ステップＳ１３）、多重化部３の初期化処理が実行される（ステップＳ１４）。その後、処理がステップＳ０１に戻されて異常確認処理が繰り返される。この初期化処理により、アラーム信号ＡＬＭ２は解除され、参照クロックや入力電気信号等が正常に復帰後に円滑に自動復帰を実行させることができる。ここで、ステップＳ１１における判断において参照される所定値は、ノイズ等により初期化処理を繰り返して動作が不安定にならないような値、例えば、３秒程度の十分に長い時間に対応する値が設定される。
【００２７】
上述した光送受信モジュール１によれば、位相同期回路３ａによって外部からの参照クロックＣＬ１を基に参照クロックＣＬ２が生成され、フレーム処理部３ｄによって、外部からの電気入力信号Ｄ１，Ｄ２，Ｄ３，Ｄ４に同期したクロックが生成され、電気入力信号Ｄ１，Ｄ２，Ｄ３，Ｄ４からそのクロックを基にデータが読み込まれた後に参照クロックＣＬ２を基にそのデータが読み出され、光送信部５によってそのデータを基に光信号が出力される。
【００２８】
なお、フレーム処理部３ｄのＦＩＦＯメモリにおいてオーバーフローあるいはアンダーフローを避けるためには、電気入力信号Ｄ１，Ｄ２，Ｄ３，Ｄ４のクロックと読み出しのクロックとは同じ周波数である必要がある。そのことを考慮して、参照クロックＣＬ２が正常でない場合、或いは、逓倍クロックＣＬ３と電気入力信号Ｄ１，Ｄ２，Ｄ３，Ｄ４から抽出されたクロックとの同期が外れた場合は、制御部７によって、アラーム信号ＡＬＭ１，ＡＬＭ２が検知されて光信号が遮断される。その後、急に電気入力信号Ｄ１，Ｄ２，Ｄ３，Ｄ４或いは参照クロックＣＬ２が復旧し過渡的に不安定な状態にある場合には、単純にＦＩＦＯメモリをリセットしただけではポインタが誤った状態でスタックしてしまう場合があった。その結果、フレーム処理部３ｄにおいて正しく信号が多重化されず誤った光信号を送出してしまう可能性があった。本実施形態では、アラーム信号ＡＬＭ１が回復した際に位相同期回路３ａ及びフレーム処理部３ｄの順にリセットされることにより、参照クロックＣＬ２が正しく位相同期回路３ｂに供給される準備が整った後にフレーム処理部３ｄがリセットされるので、ＦＩＦＯメモリのポインタがスタックしてしまう危険性を低減することができる。これにより、電気入力信号Ｄ１，Ｄ２，Ｄ３，Ｄ４からのデータの読み込み及び読み出しの処理が正常に初期化され、光信号を正常な状態で迅速に復帰させることができる。
【００２９】
また、本実施形態では、アラーム信号ＡＬＭ１，ＡＬＭ２が発生した場合に、レーザダイオード素子５ａに供給する駆動電流を遮断するように制御されるので、光信号が過発光等の異常な状態で送出されることを防止することができる。その後、制御部７により、レーザダイオード素子５ａ或いはＥＡ光変調器５ｂに与える駆動信号が過発光を防止するための予め定められた設定値に設定され、レーザダイオード素子５ａの駆動電流がオンされた後に、アラーム信号ＡＬＭ１，ＡＬＭ２が回復した際に設定値が通常設定値に戻されるので、アラーム信号が回復した際に、バイアス電流の急激な変化に起因する光出力レベルのオーバーシュートを発生させること無く、誤った光信号をネットワーク側に送出されることを防止できる。
【００３０】
以上、好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【符号の説明】
【００３１】
１…光送受信モジュール（光送信器）、３ａ，３ｂ…位相同期回路（第１の位相同期回路）、３ｄ…フレーム処理部（第２の位相同期回路）、３ｅ…多重化処理部、５…光送信部（光送信回路）、５ａ…レーザダイオード素子、５ｂ…ＥＡ光変調器、７…制御部（制御回路）。
【図１】
2014143599.tif 000003
【図２】
2014143599.tif 000004
【図３】
2014143599.tif 000005